(57)【要約】【課題】セントラル空調システムにおいても室内空間の温度を迅速に制御することにより、制御の応答性と精度を高めることが可能な空調装置および恒温空調システムを提供することを目的とする。【解決手段】本発明にかかる空調装置の構成は、空調設備１１０において温度および湿度を調整された供給空気を室内空間１０４に供給するために室内空間の天井に設けられる吹出口を兼ねた空調装置（吹出口１３０）であって、磁性材料を含み供給空気を整流する整流板１３４と、整流板を発熱させる誘導加熱手段１３６と、商用電源からの電力を誘導加熱手段に供給する電力供給手段１３８と、を備えたことを特徴とする。【選択図】図２
2011185474.tif 000002
【特許請求の範囲】
【請求項１】
空調設備において温度および湿度を調整された供給空気を室内空間に供給するために該室内空間の天井に設けられる吹出口を兼ねた空調装置であって、
磁性材料を含み前記供給空気を整流する整流板と、
前記整流板を発熱させる誘導加熱手段と、
商用電源からの電力を前記誘導加熱手段に供給する電力供給手段と、
を備えたことを特徴とする空調装置。
【請求項２】
請求項１に記載の空調装置と、
空気の加熱もしくは冷却のいずれか一方または両方を行う熱交換コイルと、送風機とを有する空調設備と、
室内空間に設けられ該室内空間の温度を検知する温度センサと、
を備えることを特徴とする恒温空調システム。
【発明の詳細な説明】
【技術分野】
【０００１】
本発明は、室内空間に供給する空気を加熱する空調装置およびその空調装置を備える恒温空調システムに関する。
【背景技術】
【０００２】
セントラル空調システム（全館空調システムや中央式空調システムとも称される）では、中央の空調設備において空気の温度や湿度（以下、温湿度と称する）を調整し、調整された空気（以下、供給空気と称する）を、ダクトを通じて送出し、室内空間に設けられた吹出口を介してかかる室内空間に供給する。これにより、複数の室内や広い空間の温湿度を均一に保つことができ、快適な環境を維持することができる。
【０００３】
上記の空調設備における空気調和（恒温恒湿空調）について、かかる空調設備として特許文献１に記載の空気調和装置を例示して詳述する。空気調和装置に取り込まれた外気は、予熱用熱交換器において所定の温度まで温められた後に、加湿器により加湿される。そして、（気化式の）加湿により空気の温度が下がった場合は、再熱用熱交換器により所定の温度まで再び温められると記載されている。なお一般的には、冷却除湿の後にも再熱が行われる。これにより、温湿度が調整された供給空気は給気ファンにより室内空間へ供給される。このような空気調和装置を用いてセントラル空調システムを構成する場合には、供給空気は、給気ファンにより空調設備外に送出された後に、ダクトを通過して室内空間に供給される。
【先行技術文献】
【特許文献】
【０００４】
【特許文献１】特開２００３−２０２１６５号公報
【発明の概要】
【発明が解決しようとする課題】
【０００５】
しかし、上記のように温湿度を調整した供給空気を供給していたとしても、外気温等の影響により室内空間の温湿度、特に温度が所望の温度、すなわち設定温度から変動することがある。すると、空調設備では、室内空間の温度が設定温度となるよう、供給する供給空気の温度を再調整する。このとき、個別式空調システムであれば、ダクトがない、またはダクトが短いため、再調整された供給空気はすぐに室内空間に供給され、室内空間の温度が直ちに制御される。
【０００６】
それに対し、セントラル空調システムでは、ダクトの距離が長い、すなわち空調設備から室内空間までの距離が長いため、空調設備において再調整された供給空気が室内空間に供給されるまでに時間を要する。このため、セントラル空調システムは、個別式空調システムと比べると、室内空間の温度の制御に時間がかかり制御遅れが大きくなってしまう。故に、セントラル空調システムにおいては高精度な温度制御が困難であり、応答性と精度の改善が課題となっていた。
【０００７】
本発明は、このような課題に鑑み、セントラル空調システムにおいても室内空間の温度を迅速に制御することにより、制御の応答性と精度を高めることが可能な空調装置および恒温空調システムを提供することを目的とする。
【課題を解決するための手段】
【０００８】
上記課題を解決するために、本発明にかかる空調装置の代表的な構成は、空調設備において温度および湿度を調整された供給空気を室内空間に供給するために室内空間の天井に設けられる吹出口を兼ねた空調装置であって、磁性材料を含み供給空気を整流する整流板と、整流板を発熱させる誘導加熱手段と、商用電源からの電力を誘導加熱手段に供給する電力供給手段と、を備えたことを特徴とする。
【０００９】
上記構成によれば、電力供給手段から誘導加熱手段に電力が供給されると、整流板に渦電流が流れてジュール熱が発生し、かかる整流板が発熱する。これにより、空調設備から供給される供給空気を、吹出口すなわち室内空間に最も近い位置において整流板の熱を用いて加熱し、かかる供給空気の温度を再調整することができる。再調整された供給空気はその直後に室内空間に供給されるため、室内空間の温度は迅速に制御され、室内全体を均一に加熱することができる。このように整流板自体が発熱して空気を暖めるものは従来存在せず、セントラル空調システムにおいても温度制御の応答性と精度を高めることが可能となる。また整流板を発熱させる手段、換言すれば整流板に熱を持たせる手段として、熱容量が小さく加熱性能が高い誘導加熱手段を用いることにより、整流板の温度を急速に高めることができる。
【００１０】
更に、上記構成では発熱した整流板により吹出口において供給空気を加熱するので、空調設備における再加熱（再熱）は不要となる。したがって、空調設備に再加熱用ヒータを設けなくてよいため、空気が空調設備を通過する際の通風抵抗を低減することができ、且つ空調設備の小型化を図ることが可能となる。
【００１１】
上記課題を解決するために、本発明にかかる恒温空調システムの代表的な構成は、上述した空調装置と、空気の加熱もしくは冷却のいずれか一方または両方を行う熱交換コイルと、送風機とを有する空調設備と、室内空間に設けられ室内空間の温度を検知する温度センサと、を備えることを特徴とする。
【００１２】
上述した空調装置の技術的思想に基づく構成要素やその説明は、恒温空調システムにも適用可能である。
【発明の効果】
【００１３】
本発明によれば、セントラル空調システムにおいても室内空間の温度を迅速に制御することにより、制御の応答性と精度を高めることが可能な空調装置および恒温空調システムを提供することができる。
【図面の簡単な説明】
【００１４】
【図１】本実施形態にかかる恒温空調システムの構成を示す図である。
【図２】本実施形態にかかる吹出口（空調装置）の構成を示す図である。
【図３】換気装置に本発明にかかる吹出口を適用した例である。
【図４】吹出口の他の構成の例を示す図である。
【図５】従来のセントラル空調システムの構成の構成を示す図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
図１は、本実施形態にかかる恒温空調システム１００の構成を示す図である。なお図１中、一点鎖線は制御部１５０との接続関係（信号線）を示している。図１に示すように、本実施形態にかかる恒温空調システム１００は、主に、空調設備１１０、空調装置（以下、「吹出口１３０」という。）、および温度センサ１５０ａから構成される。
【００１７】
空調設備１１０は、暖房、冷房、加湿および除湿を行うことにより、空気の温度および湿度を所定温度および所定湿度に調整する。調整された供給空気は、供給空気（ＳＡ：Supply Air）として供給ダクト１０２ａを通過し、室内空間１０４の天井に設けられた吹出口１３０を介してかかる室内空間１０４に供給される。
【００１８】
室内空間１０４の空気は、室内空間１０４の壁に設けられた吸込口１０４ｂを介して回収ダクト１０２ｂを通過し、回収空気（ＲＡ：Return Air）として空調設備１１０に供給される。回収空気のみを用いる場合には、近年の断熱性の高い建物の場合は、冷房負荷しか発生しない。そのため、冷却コイル１１２が動作し、加熱コイル１１４および吹出口（空調装置）１３０は加熱を行わない。
【００１９】
また空調設備１１０は外気ダクト１０２ｃを備えており、屋外の空気を外気（ＯＡ：Out Side Air）として空調設備１１０に供給する。回収ダクト１０２ｂと外気ダクト１０２ｃはチャンバ１０２ｄによって連結されており、回収空気と外気とを択一的に、または混合させて空調設備１１０に供給することができる。
【００２０】
冷却コイル１１２は空調設備１１０における通風路１１０aの最上流側に配置されている。冷却コイル１１２は、空気の冷却を行う熱交換器であり、冷水供給装置（不図示）から冷水が供給され、かかる冷水を用いて空気を冷却する。これにより、空調設備１１０に供給された空気の温度を低下させ所定温度に調節することが可能となる。また空気の温度を低下させることにより、空気の絶対湿度を低下させて除湿を行い、空気の湿度を所定湿度に調節することが可能となる。
【００２１】
加熱コイル１１４は冷却コイル１１２の下流側に配置されている。加熱コイル１１４は、空気の加熱を行う熱交換器であり、温水供給装置（不図示のボイラーやヒートポンプなど）から温水が供給され、かかる温水を熱源として用いて空気を加熱する。これにより、空調設備１１０に供給された空気の温度を上昇させ所定温度に調節することが可能となる。また空気の温度を上昇させることにより、空気に含まれる熱（顕熱）が増大するため、後述する加湿器１１６を空気が通過した際に加湿用水を高効率で蒸発させることができ加湿効率が向上する。
【００２２】
なお、本実施形態においては、冷却コイル１１２と加熱コイル１１４とを設ける構成としたが、これに限定するものではなく、熱交換器として、空気の加熱および冷却の両方を行うことが可能な冷温水コイルを設けてもよい。また冷却コイル１１２、加熱コイル１１４および後述する加湿器１１６が設けられる位置についても限定するものではなく、これらが設けられる順番は異なっていてもよい。
【００２３】
加湿器１１６は加熱コイル１１４の下流側に配置されている。かかる加湿器１１６として気化式加湿器を例示して詳述すると、加湿器１１６には給水手段（不図示）を通じて加湿用水が供給され、空調設備１１０に供給された空気が当該加湿器１１６を通過することで、空気の顕熱を水の潜熱に代えて加湿用水を蒸発させ、空気の加湿を行う。
【００２４】
上記の気化式加湿器は、火気を用いないため火災のおそれが生じず、且つ水に繁殖した雑菌を室内空間に放出するおそれがない。このため、本実施形態のように加湿器として気化式加湿器１１４を備える空調設備１１０は、工場等の有機溶剤を用いる施設や、クリーンルーム等の衛生基準が厳しい施設にも設置することができ、設置可能な施設の適用範囲を広げることができる。ただし、本発明はこれに限定するものではなく、蒸気式加湿器や水噴霧式加湿器等の他の加湿器を用いることも可能である。
【００２５】
送風機１１８は空調設備１１０における通風路１１０ａの最下流側に配置されている。送風機１１８は、通風路１１０ａに設けられた冷却コイル１１２、加熱コイル１１４および加湿器１１６を通過することにより温度および湿度が調節された空気、すなわち空調設備１１０において所定温度および所定湿度となった供給空気を供給ダクト１０２ａを通じて室内空間に送出する。
【００２６】
なお、本実施形態においては、空調設備１１０として空気の温度および湿度を所定温度および所定湿度に調整する一般的な空調設備を例示したため加湿器１１６が設けられているが、これに限定するものではない。仮に、室内空間１０４の温度のみを制御するのであれば、空調設備１１０において必ずしも加湿器を設ける必要はない。また一般的な空調設備では、通風路１１０ａにおいてプレフィルタ、中性能フィルタやＨＥＰＡフィルタ等のフィルタが設けられているが、これらは空調設備１１０においても設けられていてもよい。ただし、本実施形態の恒温空調システム１００においては、フィルタ等は本質的な構成要素ではないため図示および説明を省略する。
【００２７】
図２は、本実施形態にかかる吹出口１３０（空調装置）の構成を示す図である。図２（ａ）は吹出口１３０の外観斜視図であり、図２（ｂ）は吹出口１３０の断面図である。本実施形態の吹出口１３０は、空調設備１１０において温湿度を調整された供給空気を室内空間１０４に供給するために室内空間１０４の天井に設けられる。ここで特徴的な点として、本実施形態にかかる吹出口１３０は、誘導加熱によって供給空気を加熱する。
【００２８】
枠体１３２は、吹出口１３０の外周を形成する。かかる枠体１３２を天井の孔に取り付けることにより、室内空間１０４の天井に吹出口１３０が設置される。なお、本実施形態においては枠体１３２を四角形状としたが、これに限定するものではなく、丸形状など他の形状であってもよい。
【００２９】
上記の枠体１３２は整流板１３４を支持する。整流板１３４は、枠体１３２の上方中央から下方になるにつれて、かかる枠体１３２に向かって傾斜し供給空気を整流する。本実施形態では、整流板１３４は磁性材料を含んで構成される。これにより、後述する電力供給手段１３８から誘導加熱手段１３６に電力が供給された際に、整流板１３４に渦電流が流れてジュール熱が発生し、整流板１３４が発熱することができる。したがって、空調設備１１０から供給される供給空気を、吹出口１３０すなわち室内空間１０４に最も近い位置において加熱することが可能となる。
【００３０】
整流板１３４を構成する磁性材料としては鉄、ニッケル、コバルトが挙げられるが、コスト面および強度の点で鉄を含むことが好ましい。具体例としては、鉄に防錆加工や亜鉛等のめっきをしたもの、アルミニウム合金などの錆びにくい非磁性金属に鉄粉を混入したものなどを用いることができる。
【００３１】
なお、本実施形態においては整流板１３４が３枚設けられているが（図２（ａ）参照）、これは一例であり、整流板１３４の数は２枚以下でもよいし４枚以上であってもよい。また整流板１３４は、必ずしも枠体１３２の上方中央から枠体１３２に向かって傾斜しなくてもよい。例えば、吹出口１３０の設置位置によっては、整流板１３４が一方向に傾斜した配置となっていてもよい。
【００３２】
誘導加熱手段１３６は整流板１３４を発熱させる。本実施形態では、誘導加熱手段１３６は導電材料からなり整流板１３４に付設されているコイルである。後述する電力供給手段１３８から誘導加熱手段１３６に電力が供給されるとその周囲には磁場が形成される。その磁場が、磁性材料からなる整流板１３４を貫くと、整流板１３４内部では電磁誘導により渦電流が流れ、整流板１３４が発熱する。このように電磁誘導を利用して整流板１３４自体を発熱させることにより、電熱ヒータから電熱するよりも応答速度が高く、また加熱効率も高いため、効率よく空気を暖めることができる。
【００３３】
なお、本実施形態においては誘導加熱手段１３６を整流板１３４に付設する構成としたが、必ずしも付設である必要はなく、誘導加熱手段１３６を整流板１３４に埋設させてもよいし、整流板１３４の近傍に配置してもよい。ただし、誘導加熱手段１３６により生じる磁場は距離の二乗に反比例して減衰するため、誘導加熱手段１３６を整流板１３４の近傍に配置する場合には、それらの距離はできる限り短いことが好ましい。
【００３４】
電力供給手段１３８は、商用電源（不図示）からの電力を誘導加熱手段１３６に供給する。これにより、誘導加熱手段１３６を用いて整流板１３４を発熱させることが可能となる。なお、誘導加熱手段１３６における磁場の変化がなくなると電磁誘導が発生しないため、電力供給手段１３８は１０ｋＨｚ〜９０ｋＨｚの高周波交流を誘導加熱手段１３６に印加する。
【００３５】
また上述したように恒温空調システム１００は、室内空間１０４に設けられかかる室内空間１０４の温度を検知する温度センサ１５０ａを備える。本実施形態では、温度センサ１５０ａは、室内空間１０４に設けられた制御部１５０に内蔵されている。なお、本実施形態においては、恒温空調システム１００は恒温空調を行うため室内空間１０４に設けるセンサを温度センサ１５０ａとしたが、恒温恒湿空調を行う空調システムの場合には温湿度センサまたは温度センサ１５０ａと併せて湿度センサを設けることは言うまでもない。
【００３６】
制御部１５０は、空調設備１１０および吹出口１３０が接続されており、温度センサ１５０ａが検知した温度、および室内空間１０４の設定温度に基づいて空調設備１１０および吹出口１３０（すなわち恒温空調システム１００全体）を制御する。
【００３７】
詳細には、温度センサ１５０ａが検知した温度が室内空間の設定温度を下回ったら、制御部１５０は空調設備１１０によって設定温度より若干低い温度の空気を生成し、さらに吹出口１３０によって設定温度まで温度を上昇させて（再調整して）から室内空間１０４に供給する。したがって、本実施形態にかかる恒温空調システム１００および空調装置（吹出口１３０）によれば、室内空間１０４の温度を迅速かつ精密に制御することができる。このように整流板自体が発熱して空気を暖めるものは従来存在せず、セントラル空調システムにおいても温度制御の応答性と精度を高めることが可能となる。
【００３８】
また発熱した整流板１３４により吹出口１３０において供給空気を加熱することにより、空調設備１１０における再加熱（再熱）は不要となる。したがって、従来の空調設備に設けられていた再加熱用ヒータを省略することができる。これにより、空気が空調設備を通過する際の通風抵抗を低減することができ、且つ空調設備の小型化およびコストの削減を図ることが可能となる。
【００３９】
更に、吹出口１３０すなわち供給直前において供給空気の最終的な温度調整を行うことができるため、空調設備１１０による供給空気の供給対象である室内空間１０４が複数ある場合においても、かかる室内空間１０４の温度を個別に制御することができる。したがって、複数の室内空間のうち、大部分の室内空間は均一の温度管理とし、特定の室内空間のみ異なる温度管理をするというように、セントラル空調システムによる利点を享受しながら、個別式空調を実施することが可能となる。
【００４０】
また制御部１５０にはコントローラ１５０ｂが接続されており、利用者が吹出口１３０の電力供給手段１３８に所定の制御信号を送ることができる。すなわち吹出口１３０は、空調設備１１０の一部としても動作することができるが、各部屋で個別に動作設定することも可能である。ここで、空調設備１１０の送風機１１８は、特に密閉性の高い建物においては、２４時間換気を行っている場合がある。したがって、空調設備１１０が暖房も冷房も動いていない休日などは、ほぼ外気が室内に流入する。すると休日出勤した利用者は、夏場はよいとしても、冬場には寒い思いをするおそれがある。そのような場合においても、本実施形態の構成においては、コントローラ１５０ｂを操作することによって吹出口１３０を動作させて、空気を加熱することができる。従って、利用者の便宜に資することができる。
【００４１】
上記構成の吹出口１３０は、空調設備１１０に変更を加えず、単に従来の吹出口と交換することができる。したがって大規模な工事を伴うことなく、若干の電源配線を行うだけで、既存の設備に対して設置することができる。
【００４２】
また、１つの建物に多数の空調設備１１０が設置されており、一部の空調設備１１０のみが外気ダクト１０２ｃを備えている場合には、外気ダクト１０２ｃを備えている空調設備１１０に本実施形態にかかる吹出口１３０を設けてもよい。このような空調設備１１０では換気を行うことにより外気が混入し、冷たい空気が吹き出される場合があるため、吹出口１３０によって暖めることによって快適な環境を作ることができる。
【００４３】
また、制御部１５０からの制御により、空調設備１１０を始動させる初期には、吹出口１３０によって積極的に供給空気を暖めることができる。これにより、始動時から快適な温度の空気を供給することが可能となる。
【００４４】
また、春や秋などの中間期には、暖房も冷房も行わず、送風機１１８による換気のみを行う期間がある。このような場合においては、人によっては寒いと感じる場合もある。しかしこの場合においても、直近の吹出口１３０のみを個別に動作させて供給空気を暖めることができ、利用者の便宜に資することができる。
【００４５】
（他の実施例）
図３は換気装置に本発明にかかる吹出口を適用した例である。図１に示す例では、冷暖房を行う空調設備１１０の最終段に吹出口１３０を設けるように説明した。これに対し図３では、換気装置１６０の出口に吹出口１３０を配置している。換気装置１６０は、屋外の外気を室内空間１０４に導入する吸気式の換気装置である。これにより、換気装置によって２４時間換気を行う場合であっても、快適な環境を作ることができる。すなわち本発明にかかる空調装置（吹出口１３０）は、かならずしも空調設備と組み合わせなくても、室内空間に空気を供給する設備であれば、好適に利用することができる。
【００４６】
図４は吹出口の他の構成の例であって、図４（ａ）は吹出口１８０の外観斜視図、図４（ｂ）は吹出口１８０の断面図である。図４に示す吹出口１８０はプラント用空調機の吹出口であって、室内空間１０４（図１参照）の天井または壁面に設けられる。プラントとしてはクリーンルームや塗装工場など、恒温空調が必要な施設を挙げることができる。
【００４７】
吹出口１８０は、フィルタ１８２を備えている。フィルタ１８２は、ＭＥＰＡフィルタ、ＨＥＰＡフィルタ、ＵＬＰＡフィルタや、不織布のフィルタなどを適宜用いることができる。フィルタ１８２は室内側からではなく、天井裏側から縦方向または横方向に交換可能に構成されている。
【００４８】
フィルタ１８２の室内側には、吹出口１８０の外周を形成する枠体１８４に支持された整流板１８６が備えられている。整流板１８６は磁性材料を含んで構成されており、それぞれに誘導加熱手段１８８（ＩＨコイル）が備えられている。誘導加熱手段１８８には電力供給手段１９０が接続されており、誘導加熱手段１８８に高周波電流を供給することにより、整流板１８６を加熱する。これにより、フィルタ１８２を通った清浄な空気を、さらに加熱してから室内空間１０４に供給することができる。特にプラントではオフィスビルよりも精密な温度制御が必要であるから、本発明にかかる吹出口１８０の利益を享受することができる。
【００４９】
（比較例）
次に、比較例としての従来のセントラル空調システムについて説明する。図５は、従来のセントラル空調システム（以下、単に空調システム１０と称する）の構成を示す図である。なお、上述した恒温空調システム１００の構成要素と実質的に同一の機能、構成を有する要素については、同一の符号を付して説明を省略する。
【００５０】
図５に示すように、空調システム１０では、室内空間１２の吹出口１２ａが設けられている。詳細な図示は省略するが、吹出口１２ａには単なる整流板しか設けられていないため、空調システム１０では吹出口１２ａにおいて供給空気を加熱することができない。このため、温度センサ１６ａが室内空間１２における温度の変動を検知したら、制御部１６は空調設備１４を制御して空気を再加熱する等の調整を行わなくてはならず、空調設備１４には再加熱コイル１４ａ（再加熱ヒータと称されることもある）を必ず設ける必要がある。故に、空調設備１４が大型化する傾向があり、その内部での通風抵抗が大きくなりがちである。
【００５１】
また空調システム１０では、空調設備１４において再加熱コイル１４ａにより空気を再加熱して温度を調整したとしても、供給空気は供給ダクト１０２ａを通過して空調システム１０に供給される。このため、空調設備１４からの供給空気が室内空間１２に供給されるまでに時間を要し、室内空間１２の温度の制御に遅れが生じてしまう。故に、高精度な温度制御が困難であった。更に、このような空調システム１０では、供給空気の供給対象である室内空間１２が複数ある場合であっても、全ての室内空間１２に空調設備１４で調整された空気が供給されるため、個別の温度制御ができない。故に、空調システム１０の更なる利便性の向上が望まれている。
【００５２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５３】
なお、本実施形態における温度、所定温度および設定温度は、乾球温度または所定温度のいずれの値を用いてもよい。同様に、本実施形態における湿度、所定湿度および設定湿度は、湿球温度または絶対湿度のいずれの値を用いてもよい。
【産業上の利用可能性】
【００５４】
本発明は、室内空間に供給する空気を加熱する空調装置およびその空調装置を備える恒温空調システムとして利用することができる。
【符号の説明】
【００５５】
１０…空調システム、１２…室内空間、１２ａ…吹出口、１４…空調設備、１４ａ…再加熱コイル、１６…制御部、１６ａ…温度センサ、１００…恒温空調システム、１０２ａ…供給ダクト、１０２ｂ…回収ダクト、１０２ｃ…外気ダクト、１０２ｄ…チャンバ、１０４…室内空間、１０４ｂ…吸込口、１１０…空調設備、１１０ａ…通風路、１１２…冷却コイル、１１４…加熱コイル、１１６…加湿器、１１８…送風機、１３０…吹出口（空調装置）、１３２…枠体、１３４…整流板、１３６…誘導加熱手段、１３８…電力供給手段、１５０…制御部、１５０ａ…温度センサ、１５０ｂ…コントローラ
【図１】
2011185474.tif 000003
【図２】
2011185474.tif 000004
【図３】
2011185474.tif 000005
【図４】
2011185474.tif 000006
【図５】
2011185474.tif 000007